(57)【要約】【課題】連結具の開操作での開放量が大きくなっても、復元力が維持されるようにする。【解決手段】連結具は、第１・第２の取付部１・２を備え、第１の取付部は、協働して環状を形作るフック１１と揺動片１９、フックに対して揺動片を連結する軸２１を備え、フックは、軸を介して揺動片を支持する収容部１５、収容部から鉤状に延びる鉤部１６、収容部と鉤部とによって形作られる不完全な環状の両端間において開口する口部１７を備え、揺動片は、収容部の内部において弧状に弾性変形する状態で保持されるばね部１９ａ、ばね部の弧状の一端から収容部の外部に延びると共に環状をなす第１の取付部の内部空間１ａを開放空間として口部を開閉可能な閉鎖片部１９ｂ、閉鎖片部からばね部の弧状の中心側に向かって延びると共に軸を介して収容部に連結される腕部１９ｃを備える。【選択図】      図１
2020045930.tif 000002
【特許請求の範囲】
【請求項１】
第１の取付部（１）と第２の取付部（２）とを備え、
前記第１の取付部（１）は、協働して環状を形作るフック（１１）と揺動片（１９）と、前記フック（１１）に対して前記揺動片（１９）を連結する軸（２１）とを備え、
前記フック（１１）は、前記軸（２１）を介して前記揺動片（１９）を支持する収容部（１５）と、前記収容部（１５）から鉤状に延びる鉤部（１６）と、前記収容部（１５）と前記鉤部（１６）とによって形作られる不完全な環状の両端間において開口する口部（１７）とを備え、
前記揺動片（１９）は、前記収容部（１５）の内部において弧状に弾性変形する状態で保持されるばね部（１９ａ）と、前記ばね部（１９ａ）の弧状の一端から前記収容部（１５）の外部に延びると共に環状をなす前記第１の取付部（１）の内部空間（１ａ）を開放空間として前記口部（１７）を開閉可能な閉鎖片部（１９ｂ）と、前記閉鎖片部（１９ｂ）から前記ばね部（１９ａ）の弧状の中心側に向かって延びると共に前記軸（２１）を介して前記収容部（１５）に連結される腕部（１９ｃ）とを備えるものであることを特徴とする連結具。
【請求項２】
前記揺動片（１９）と前記軸（２１）とは一体成形された一部品の揺動部材（１２）を形成することを特徴とする請求項１に記載の連結具。
【請求項３】
前記腕部（１９ｃ）は、前記閉鎖片部（１９ｂ）から延びると共に前記軸（２１）の中心線方向に間隔をあけて対向する一対の片腕部（１９ｈ，１９ｈ）を備え、
前記軸（２１）は、一対の前記片腕部（１９ｈ，１９ｈ）からそれぞれ突出する一対の軸部（２１ａ，２１ａ）を備えることを特徴とする請求項２に記載の連結具。
【請求項４】
前記腕部（１９ｃ）または前記閉鎖片部（１９ｂ）から延びるレバー部（１９ｄ）を備え、
前記収容部（１５）は環状における前記口部（１７）に対向する側に前記レバー部（１９ｄ）を通すためのレバー用開口部（１５ｈ）を備え、
前記レバー部（１９ｄ）は前記腕部（１９ｃ）または前記閉鎖片部（１９ｂ）からレバー用開口部（１５ｈ）を貫通する状態で延びるものであることを特徴とする請求項１、２又は３に記載の連結具。
【請求項５】
前記第１の取付部（１）と前記第２の取付部（２）とは合成樹脂製品であり、
前記第１の取付部（１）と前記第２の取付部（２）のうち少なくとも一方の一部は、ガラス繊維とポリアミドとを含むポリアミド樹脂組成物であることを特徴とする請求項１〜４の何れかに記載の連結具。
【発明の詳細な説明】
【技術分野】
【０００１】
本発明は、二つの取付部を備え、一方の取付部の一部が開閉可能な連結具に関する。
【背景技術】
【０００２】
従来の連結具の一例としては、対象物を取り付けるフック部と、フック部に連結されると共に別の対象物を取り付けるリング部と、フック部に被せるカバーとを備えるものが知られている（特許文献１）。このフック部は、環状で且つその一部を開閉可能なものである。より詳しく言えばフック部は、略Ｊ字状に湾曲したもの（以下、『フック本体』と称する。）と、フック本体の両端の開口を開閉可能なばね部であってフック本体の両端のうち一端から他端に向かって延びるばね部とを備える。そして使用者がばね部を操作すると、ばね部がフック本体に対して内側に変位することによって、フック部（連結具）が環状でなくなり、フック本体とばね部との間が開くことになる。
【先行技術文献】
【特許文献】
【０００３】
【特許文献１】特開２０１７−２１１０３７号公報
【発明の概要】
【発明が解決しようとする課題】
【０００４】
ところで上記した連結具は、ばね部とフック本体とが一体成形されたもので、ばね部がフック本体に一体に繋がっているので、連結具を開くためにばね部を環状の内側に押し込むと、その押し込み量が大きくなるにつれて（開放量が大きくなるにつれて）、ばね部の撓み量、より詳しく言えばばね部のうちフック本体に繋がっている付け根部分の撓み量が大きくなるものである。ばね部の撓み量が大きくなるということは、連結具の復元力が大きくなるということである。
ばね部の復元力はばね部の付け根部分の厚みに関係するものである。そうすると、例えば連結具が環状（閉状態）のときに強固に閉まっているもの（ばね部の復元力が大きいもの）だと、ばね部を押し込むにつれて、ばね部を押し込み難くなり、操作性が悪くなる。
かといって連結具が環状のときにばね部の復元力が小さいものだと、不意にばね部が開くおそれもある。
このように上記した連結具は、連結具の開放量が大きくなると、連結具の復元力も大きくなるものであり、ばね部の付け根部の厚みの設計が難しい。
【０００５】
上記した連結具は合成樹脂製である。ちなみに連結具の中には金属製の本体の表面に鍍金層を備えるものも存在する。金属製の連結具は、鍍金層による光沢（金属光沢）を備えるので、樹脂単独での光沢（樹脂光沢）よりも見栄えが良いが、使用しているうちに鍍金が剥がれ落ち、光沢がなくなっていく。しかも金属製の連結具は重い。
【０００６】
本発明は上記実情を考慮して創作されたもので、その主要な目的は、連結具の開操作による開放量が大きくなっても、連結具の復元力ができるだけ大きくならないようにすることである。また本発明の付随的な目的は、軽量で且つ樹脂単独の場合よりも見栄えの良い光沢を長期に亘って維持できるようにすることである。
【課題を解決するための手段】
【０００７】
本発明の連結具は、第１の取付部と第２の取付部とを備える。第１の取付部は、協働して環状を形作るフックと揺動片と、フックに対して揺動片を連結する軸とを備える。フックは、軸を介して揺動片を支持する収容部と、収容部から鉤状に延びる鉤部と、収容部と鉤部とによって形作られる不完全な環状の両端間において開口する口部とを備える。揺動片は、収容部の内部において弧状に弾性変形する状態で保持されるばね部と、ばね部の弧状の一端から収容部の外部に延びると共に環状の内部空間を開放空間として口部を開閉可能な閉鎖片部と、閉鎖片部からばね部の弧状の中心側に向かって延びると共に軸を介して収容部に連結される腕部とを備える。
【０００８】
また揺動片と軸とは別部品であるか否かを問わないが、部品点数を少なくし、組立を容易にするには次のようにすることが望ましい。
すなわち、揺動片と軸とは一体成形された一部品の揺動部材を形成することである。
【０００９】
また腕部は一本であるか否かを問わないが、組立を容易にするには次のようにすることが望ましい。
すなわち腕部は、閉鎖片部から延びると共に軸の中心線方向に間隔をあけて対向する一対の片腕部を備えるものする。また軸は、一対の片腕部からそれぞれ突出する一対の軸部を備えるものにすることである。
【００１０】
また連結具は口部を開放するときには、揺動片自身を操作すればよい。ただし軽い力で操作できるようにするには次のようにすることが望ましい。
すなわち連結具は、腕部または閉鎖片部から延びるレバー部を備えるものとする。そのうえで収容部は、環状における口部に対向する側にレバー部を通すためのレバー用開口部を備えるものにする。またレバー部は、腕部または閉鎖片部からレバー用開口部を貫通する状態で延びるものとすることである。
【００１１】
また第１の取付部と第２の取付部とは材料を問わない。ただし連結具を軽量化し、樹脂単独の場合よりも見栄えの良い光沢を長期に亘って維持できるようにする場合には、次のようにすることが望ましい。
すなわち第１の取付部と第２の取付部とは合成樹脂製品にする。そのうえで第１の取付部と第２の取付部のうち少なくとも一方の一部は、ガラス繊維とポリアミドとを含むポリアミド樹脂組成物にする。
【発明の効果】
【００１２】
本発明の連結具は、収容部の内部において軸を中心側とする弧状に弾性変形する状態でばね部が保持され、閉鎖片部が閉鎖状態および開放状態の何れにおいても弧状を保持するので、閉鎖片の開放量が大きくなっても、前記した特許文献１のような連結具と比べてばね部の復元力の変化が小さいものである。
【００１３】
また連結具は、揺動片と軸とが一体成形された一部品の揺動部材であれば、部品点数が少なくてすみ、組立も容易になる。
【００１４】
また連結具は、腕部を一対の片腕部を備えるものとし、軸を一対の片腕部からそれぞれ突出する一対の軸部を備えるものとするのであれば、一対の片腕部が軸部側において弾性変形可能なので、収容部に一対の軸部が引っ掛からないようにして収容部の内部空間に揺動部材を挿入することができ、組立が容易になる。
【００１５】
また連結具は、レバー部をレバー用開口部から通すものであれば、てこの原理の支点と力点との長さを確保でき、軽い力で揺動片を操作できるようにしながらも、小型化することができる。
【００１６】
また連結具は合成樹脂製であるので、金属製に比べて軽量となり、しかも第１の取付部と第２の取付部のうち少なくとも一方の一部をポリアミド組成物とすることによって機械的強度を向上させ、ガラス繊維を含むことによって樹脂単独の場合よりも見栄えのよい光沢を長期に亘って維持できるものである。
【図面の簡単な説明】
【００１７】
【図１】本発明の第１実施形態の連結具を示す断面図である。
【図２】本発明の第１実施形態の連結具を示す正面図である。
【図３】本発明の第１実施形態の連結具を示す側面図である。
【図４】本発明の第１実施形態の連結具を示す平面図である。
【図５】本発明の第１実施形態の連結具を示す斜視図である。
【図６】本発明の第１実施形態の連結具を示す分解斜視図である。
【発明を実施するための形態】
【００１８】
本発明の第１実施形態の連結具Ｒは図１〜６に示すように、第１の取付部１と第２の取付部２とを備えるものである。第１の取付部１と第２の取付部２とは連結によって一体化されている。また第１の取付部１と第２の取付部２とは何れも環状であり、第１の取付部１は環状の一部を弾性によって開閉可能としたものである。
【００１９】
本実施形態を説明する上で、互いに直交する前後方向・上下方向・左右方向を以下のように定める。
前後方向とは、第１の取付部１が環状に見える方向であり、より詳しく言えば、環状をなす第１の取付部１の内部空間１ａが貫通する方向である。図１では前後方向から見た連結具Ｒが示されている。前方向とは図１では紙面に対して直交する方向のうち手前を向く方向である。後方向とは図１では紙面に対して直交する方向のうち奥を向く方向である。
上下方向とは、第１の取付部１と第２の取付部２との配置関係を表す方向である。第１の取付部１とは第２の取付部２に対して下方向に配置されているものである。上方向とは図１での上方向である。下方向とは図１での下方向である
左右方向とは、第１の取付部１が開閉する方向である。左方向とは、図１の左方向であり、右方向とは図１の右方向である。
【００２０】
第１の取付部１は、協働して環状を形作るフック１１と揺動部材１２とを備える。そしてフック１１は不完全な環状を形作り、揺動部材１２はフック１１の不完全な環状の欠落部分を揺動によって開閉すると共にフック１１に対して揺動可能に連結される。
【００２１】
フック１１は、揺動部材１２を揺動可能に支持し且つ収容する収容部１５と、収容部１５から第２の取付部２とは反対側に鉤状に延びる鉤部１６と、収容部１５と鉤部１６とによって形成される不完全な環状の両端間において開口すると共に揺動部材１２の一部によって開閉可能な口部１７とを備える。口部１７は不完全な環状の欠落部分である。なお単に『環状』という場合、フック１１と揺動部材１２とで形作られる完全な環状、より詳しく言えばフック１１の口部１７を揺動部材１２で閉鎖した状態を意味するものとする。
【００２２】
収容部１５は、鉤部１６よりも第２の取付部２側に配置される。収容部１５は、前後方向に対向すると共に揺動部材１２を揺動可能に支持する一対の支持壁１５ａ，１５ａと、一対の支持壁１５ａ，１５ａのうち第２の取付部２側の端部間に架設する上壁１５ｂと、一対の支持壁１５ａ，１５ａのうち左右方向の一方側（図１では右側）の端部間に架設する側壁１５ｃとを備える。また収容部１５は、一対の支持壁１５ａ，１５ａと上壁１５ｂと側壁１５ｃとによって包囲された内部空間１５ｄを備える。内部空間１５ｄは、一対の支持壁１５ａ，１５ａのうち左右方向の他方側（図１では左側）を開口すると共に、一対の支持壁１５ａ，１５ａのうち下側を開口している。便宜上、一対の支持壁１５ａ，１５ａのうち左右方向の他方側に形成される開口を『側方開口部』１５ｅと称し、一対の支持壁１５ａ，１５ａのうち下側に形成される開口を『下方開口部』１５ｆと称する。
また環状における収容部１５の側壁１５ｃの側と口部１７の側とは、対向する側に位置するもの、言い換えれば第２の取付部２との連結位置を基準とした場合、環状における周方向の異なる側に位置するものである。そして収容部１５の側壁１５ｃは、揺動部材１２の一部（後述のレバー部１９ｄ）を通すためのレバー用開口部１５ｈを備える。レバー用開口部１５ｈは、側壁１５ｃに対して左右方向に貫通する状態で形成され、内部空間１５ｄに通じている。
【００２３】
鉤部１６は、収容部１５のうち第２の取付部２とは反対側（図１では下側）から延びるものである。また鉤部１６は収容部１５のうち左右方向のうち前記一方側（図１での右側）から延び、他方側に対して間隔をあけて戻ってくるものである。この間隔が口部１７である。より詳しく言えば鉤部１６は、第２の取付部２とは反対側において収容部１５の左右方向のうち前記一方側から第２の取付部２とは反対側（図１での下側）に向かって延び、その延びた先が収容部１５に対向するように曲がり、さらにその曲がった先が収容部１５の左右方向のうち前記他方側（図１での左側）に接近するように（図１での上側に）延びるものである。
【００２４】
なおフック１１は、収容部１５・鉤部１６・口部１７の他に、収容部１５から第２の取付部２に対して延びる連結部としての雄部１３を備える。雄部１３については第２の取付部２の構成の説明のときに説明する。
以上のフック１１に対して揺動可能に連結されるのが揺動部材１２である。
【００２５】
揺動部材１２は、フック１１と協働して環状を形作ると共に環状をなす第１の取付部１の内部空間１ａを開放空間とする揺動片１９と、フック１１に対して揺動片１９を揺動可能に連結する軸２１とを備える。
【００２６】
揺動片１９は、収容部１５の内部において弧状に弾性変形する状態で保持されるばね部１９ａと、ばね部１９ａの弧状の一端から収容部１５の外部に延びると共に環状をなす第１の取付部１の内部空間１ａを開放空間として口部１７を開閉可能な閉鎖片部１９ｂと、閉鎖片部１９ｂからばね部１９ａの弧の中心側に向かって延びる腕部１９ｃと、閉鎖片部１９ｂから延びるレバー部１９ｄとを備えるものである。
【００２７】
ばね部１９ａは、収容部１５の内部において軸２１を中心側（支点）にして弧状のまま揺動可能（所定角度回転可能）なものである。またばね部１９ａは、前後方向から見て第２の取付部２側へ向かって膨らむ弧状、より詳しくは円弧形状である。より詳しく言えば、口部１７を閉鎖した状態においてばね部１９ａの円弧の範囲は、上壁１５ｂと側壁１５ｃと側方開口部１５ｅとに亘るものである。またばね部１９ａは軸２１を中心側とする円弧状に撓む状態で弾性変形している。言い換えると、ばね部１９ａは円弧状に膨らむ形状に撓んでおり、その膨らむ側とは反対側（内側）に軸２１が配置されている。そしてばね部１９ａの撓む状態は、ばね部１９ａの先端側が収容部１５に接触した状態と、閉鎖片部１９ｂの先部１９ｅがフック１１（鉤部１６）の先部に衝突した状態とで保持される。ちなみにばね部１９ａは図示の例では、円弧の両端のうち先端部（一端部）を側壁１５ｃに接触させると共に、他端部を側方開口部１５ｅに配置させ、円弧の中間部を上壁１５ｂとは非接触にしてあるが、円弧の中間部を上壁１５ｂと接触する状態としたものであっても良い。なお『弧状』とは、円弧形状だけでなく、外観が弧状であると把握できるものであれば良く、例えば軸２１を中心側とする正多角形の複数の連続する辺で構成されるものであっても良い。また円弧形状は、図示の例のように、円弧と、円弧の一端から接線方向に延びる直線とが組み合わさった形状だけでなく、円弧のみの形状も含まれる。
【００２８】
閉鎖片部１９ｂは側方開口部１５ｅと口部１７とに亘って配置される。また閉鎖片部１９ｂの先部１９ｅは鉤部１６の先部に衝突する。本実施形態では、閉鎖片部１９ｂの先部１９ｅはそれ以外の部分（基部１９ｆ）よりも前後方向の厚みを薄くしたもので、基部１９ｆの先端における前後方向の中間部から延びるものである。一方、鉤部１６の先部は、収容部１５に向かって開口すると共に左右方向に貫通するＵ字状である。より詳しく言えば鉤部１６の先部は、前後方向に間隔をあけて対向すると共に閉鎖片部１９ｂの先部１９ｅを出入り可能に収容する一対の対向壁１６ａ，１６ａと、一対の対向壁１６ａ，１６ａのうち収容部１５から遠い方（図１での下方）の端部同士を接合すると共に閉鎖片部１９ｂの先部１９ｅに衝突する衝突壁１６ｂとを備える。
【００２９】
腕部１９ｃは閉鎖片部１９ｂのうちばね部１９ａ側から延びるものである。また腕部１９ｃは閉鎖片部１９ｂから前後方向に対向する状態で延びる一対の片腕部１９ｈ，１９ｈを備えるものである。一対の片腕部１９ｈ，１９ｈの間には前後方向に離れた空間部が形成される。この空間部は、揺動部材１２を収容部１５に挿入するときに、一対の片腕部１９ｈ，１９ｈが弾性変形するためのものである。また一対の片腕部１９ｈ，１９ｈとの接続部分において閉鎖片部１９ｂは一対の片腕部１９ｈ，１９ｈの間における空間に通じる開口部１９ｊを備える。
【００３０】
軸２１は腕部１９ｃの先端部から軸２１の中心線方向である前後方向に突出する。より詳しく言えば軸２１は、一対の片腕部１９ｈ，１９ｈの先端部から前後方向に遠ざかるように突出する一対の軸部２１ａ，２１ａを備える。軸２１の前後方向の先端間の間隔は、一対の支持壁１５ａ，１５ａの間隔よりも長いものとなっている。また一対の支持壁１５ａ，１５ａには軸２１を支持する一対の支持穴１５ｋ，１５ｋを備えるものである。より詳しく言えば支持壁１５ａには対応する側の軸部２１ａを支持する支持穴１５ｋが前後方向に貫通して形成される。そして軸２１を介して揺動片１９は収容部１５（一対の支持壁１５ａ，１５ａ）に支持される。
【００３１】
レバー部１９ｄが揺動片１９から延びる部位は、腕部１９ｃよりもばね部１９ａから離れた位置（図１では下方）であり、上下方向の全長の中間部となっている。またレバー部１９ｄはばね部１９ａの先端に対して下方に離れた位置を側方に横切る状態で延びるものである。またレバー部１９ｄは前後方向から見て屈曲するものである。より詳しく言えばレバー部１９ｄは、側方に延びる方向を長手方向とすると、その長手方向の中間部をばね部１９ａから離れる方向に突出する状態で屈曲するものである。ちなみにレバー部１９ｄは前述したようにレバー用開口部１５ｈを貫通する状態で通されるが、レバー用開口部１５ｈに対して第２の取付部２とは反対側（図１での下側）において鉤部１６には、口部１７に対向すると共に収容部１５の内部空間１５ｄ側に通じる凹部１６ｄが形成されている。
【００３２】
フック１１と揺動部材１２とを連結するときは、ばね部１９ａを収容部１５の内部空間１５ｄに挿入するために、一対の片腕部１９ｈ，１９ｈを互いに接近するように弾性変形させて、一対の軸部２１ａ，２１ａを収容部１５の一対の支持壁１５ａ，１５ａの内面に擦れるようにして、揺動部材１２を押し込む。また押し込むときには図１の一点鎖線で示すように揺動部材１２は、レバー部１９ｄの先部が口部１７を通るように、口部１７を閉鎖する状態に対して傾けた状態とする。そうすると、レバー部１９ｄの先部は、レバー用開口部１５ｈに対して第２の取付部２とは反対側に（下方に）位置することになる。しかもレバー部１９ｄがばね部１９ａの先端の下方を横切るように延びるものなので、例えば凹部１６ｄが無いと仮定した場合にはレバー部１９ｄの先部が鉤部１６に衝突して、ばね部１９ａを収容部１５の内部空間１５ｄに挿入し難くなる。しかしながら凹部１６ｄにレバー部１９ｄの先部に差し込みながら、揺動部材１２の姿勢を変化させて、レバー部１９ｄがレバー用開口部１５ｈを貫通するようにする。そして揺動部材１２を押し込みながら一対の軸部２１ａ，２１ａが一対の支持穴１５ｋ，１５ｋの位置に達するようにすると、一対の片腕部１９ｈ，１９ｈが復元力によって互いに元の状態となるように離隔し、一対の軸部２１ａ，２１ａが一対の支持穴１５ｋ，１５ｋに嵌合する。そうすると、揺動部材１２が揺動可能に支持され、ばね部１９ａが側壁１５ｃに衝突して円弧状に弾性変形し、その復元力によって揺動部材１２の閉鎖片部１９ｂの先部１９ｅが鉤部１６の先部に衝突し、閉鎖片部１９ｂがフック１１の口部１７を閉鎖する。
【００３３】
以上の第１の取付部１に対して連結するのが第２の取付部２である。ちなみに第１の取付部１と第２の取付部２とは回転不能に連結されている。
【００３４】
第１の取付部１のうち連結部としての雄部１３は、収容部１５（上壁１５ｂ）の上面から延びる首部１３ａと、首部１３ａの先端から上方および周囲に突出する頭部１３ｂとを備える。首部１３ａの外周面は角筒状、より詳しく言えば頭部１３ｂに向かうにつれて外径が小さくなる角筒状になっている。
【００３５】
第２の取付部２は、前後方向から見て環状である第２の取付部本体３１と、第２の取付部本体３１のうち第１の取付部１側（図１での下側の）に形成される連結部としての雌部３２とを備える。
【００３６】
雌部３２は、環状の内外方向に貫通すると共に第１の取付部１の雄部１３を挿入するための挿入穴３２である。
挿入穴３２は、雄部１３を挿入する雌穴部３３と、雌穴部３３に対して第２の取付部２の環状方向の両側に延びる一対の裂け目部３４，３４とを備える。
また挿入穴３２の周りは第２の取付部本体３１によって形成されており、前後に分離する状態で対向する一対の分離壁３５，３５と、一対の分離壁３５，３５から互いに接近するように突出すると共に第２の取付部２の環状における周方向に雄部１３を移動不能に規制する規制部３６とを備える。
一対の分離壁３５，３５のうち環状の周方向の両側部には一対の裂け目部３４，３４が形成され、当該周方向の中間部には雌穴部３３の一部としての規制部３６が形成される。
【００３７】
規制部３６は、一対の分離壁３５，３５から２つずつ突出する合計４つの突出壁部３７を備えるものである。また一方の分離壁３５，３５から突出する２つの突出壁部３７，３７は、各分離壁３５から環状の周方向（図１での左右方向）に間隔をあけて突出すると共に、他方の分離壁３５から突出する２つの突出壁部３７に対して環状に見える方向（図１での前後方向）に間隔をあけてそれぞれ対向する。
このような規制部３６と一対の分離壁３５，３５とで挿入穴３２の内面は形成され、雄部１３の外面に対応した角筒面状に形成されるものとする。
【００３８】
雄部１３と雌部３２とを連結するときには、雌部３２の雌穴部３３に雄部１３の頭部１３ｂを圧入する。そうすると頭部１３ｂが雌穴部３３を通過するときに一対の裂け目部３４を利用して挿入穴としての雌部３２が弾性変形して前後方向に一時的に広がり、頭部１３ｂが雌穴部３３を通過すると、復元力によって雌部３２が元の形状に戻り、雌穴部３３に首部１３ａが嵌合し、雄部１３（第１の取付部１）と雌部３２（第２の取付部２）とが連結する。
【００３９】
上記した第１実施形態の連結具Ｒは、第１の取付部１をフック１１と揺動部材１２との２部品とし、第２の取付部２を１部品とし、部品点数の合計が３点となるものである。
【００４０】
なお上記した第１実施形態の連結具Ｒは３部品をいずれも合成樹脂製の一体成形品（射出成形品）としてある。第１の取付部１の揺動部材１２及び第２の取付部２は、第１の取付部１のフック１１とは異なる樹脂としてある。
第１の取付部１のフック１１は、樹脂単独の場合よりも光沢のある樹脂、より望ましくはガラス光沢、さらに望ましくは金属光沢のある樹脂として、例えばガラス繊維とポリアミドと着色料とを含むポリアミド樹脂組成物としてある。着色料はガラス繊維との相乗作用によって金属光沢を発揮するものを用いることが望ましい。
ガラス繊維の配合割合（質量％）は、ポリアミド樹脂組成物１００質量％に対し３６〜５４質量％であることが望ましい。
第１の取付部１の揺動部材１２及び第２の取付部２は、第１の取付部１のフック１１よりも金属光沢のない樹脂、より望ましくはガラス光沢のない樹脂として、例えばポリアセタールとしてある。
【００４１】
上記した第１実施形態の連結具Ｒは以下の効果を有する。
第１実施形態の連結具Ｒは、収容部１５の内部において軸２１を中心側とする円弧状に弾性変形する状態でばね部１９ａが保持されているので、その復元力によって閉鎖片部１９ｂが鉤部１６の先部に押し付けられ、閉鎖片部１９ｂがフック１１の口部１７を閉鎖することになる。またこのときフック１１と揺動部材１２との協働によって環状が形成される。そして閉状態からレバー部１９ｄを操作して、閉鎖片部１９ｂを口部１７から環状の内部空間１ａに変位させ、口部１７を開放すれば、ばね部１９ａは、軸２１を中心側として所定角度回転し、円弧状に撓んだ状態が保持される。このように閉鎖片部１９ｂが口部１７を閉鎖した状態と開放した状態のいずれでも、ばね部１９ａは円弧状を保持し、その復元力が殆ど変わらない。したがって閉鎖片部１９ｂの開放量が大きくなっても、ばね部１９ａの復元力の変化が、前記した特許文献１のような連結具と比べて、小さいものである。
【００４２】
また第１実施形態の連結具Ｒは、揺動片１９と軸２１とが一体成形された一部品の揺動部材１２を備えるものなので、例えば揺動片１９と軸２１とが別部品のものに比べれば、部品点数が少なくてすみ、組立も容易である。
【００４３】
また第１実施形態の連結具Ｒは、腕部１９ｃを一対の片腕部１９ｈ，１９ｈを備えるものとし、軸２１を一対の片腕部１９ｈ，１９ｈからそれぞれ突出する一対の軸部２１ａ，２１ａを備えるものとするので、一対の片腕部１９ｈ，１９ｈが軸部２１ａ側において弾性変形可能となり、収容部１５の一対の支持壁１５ａ，１５ａに一対の軸部２１ａ，２１ａが引っ掛からないようにして収容部１５の内部空間１５ｄに揺動部材１２を挿入することができ、組立が容易になる。
【００４４】
また第１実施形態の連結具Ｒは、レバー部１９ｄの先部をレバー用開口部１５ｈから通すものなので、レバー部１９ｄの先部以外が収容部１５に収容され、小型化することができ、しかもてこの原理の支点（閉鎖片部１９ｂ側の端点）と力点（レバー部１９ｄの先端点）との長さを確保でき、軽い力で揺動片１９を操作できるようになる。
【００４５】
また第１実施形態の連結具Ｒは合成樹脂製であるので、金属製に比べて軽量となり、しかもフック１１をガラス繊維を含むポリアミド組成物とすることによってポリアミド単独の場合よりも機械的強度を向上させてある。またガラス繊維を含むことによって樹脂単独の場合よりも見栄えのよい光沢（ガラス光沢）を発揮させるだけでなく、ガラス繊維と着色料との相乗作用によって金属光沢を発揮させ、この光沢を長期に亘って維持できるものである。
【００４６】
本発明は上記実施形態に限定されるものではなく、その趣旨を逸脱しない範囲において適宜変更可能である。
例えば、第１の取付部１のフック１１と第２の取付部２とは、本実施形態では連結によって一体化されているものであったが、本発明ではこれに限らず、一体成形されたものであっても良い。
また第２の取付部２は本実施形態では環状としてあったが、本発明ではこれに限らず、不完全な環状や板状その他の形状であっても良い。
また第２の取付部２は本実施形態ではフック１１の収容部１５側に備えるものであったが、本発明ではこれに限らず、フック１１の鉤部１６側に備えるものであっても良い。
またガラス繊維とポリアミドとを含むポリアミド樹脂組成物は、本実施形態では、第１の取付部１の一部であるフック１１だけであったが、本発明ではこれに限らず、第１の取付部１と第２の取付部２のうち少なくとも一方の一部であれば良く、したがって第１の取付部１の揺動部材１２であっても良いし、第１の取付部１と第２の取付部２との両方の全体であっても良い。
【符号の説明】
【００４７】
Ｒ  連結具
１  第１の取付部
１ａ  内部空間
２  第２の取付部
１１  フック
１２  揺動部材
１３  雄部
１３ａ  首部
１３ｂ  頭部
１５  収容部
１５ａ  支持壁
１５ｂ  上壁
１５ｃ  側壁
１５ｄ  内部空間
１５ｅ  側方開口部
１５ｆ  下方開口部
１５ｈ  レバー用開口部
１５ｋ  支持穴
１６  鉤部
１６ａ  対向壁
１６ｂ  衝突壁
１６ｄ  凹部
１７  口部
１９  揺動片
１９ａ  ばね部
１９ｂ  閉鎖片部
１９ｃ  腕部
１９ｄ  レバー部
１９ｅ  先部
１９ｆ  基部
１９ｈ  片腕部
１９ｊ  開口部
２１  軸
２１ａ  軸部
３１  第２の取付部本体
３２  雌部（挿入穴）
３３  雌穴部
３４  裂け目部
３５  分離壁
３６  規制部
３７  突出壁部
【図１】
2020045930.tif 000003
【図２】
2020045930.tif 000004
【図３】
2020045930.tif 000005
【図４】
2020045930.tif 000006
【図５】
2020045930.tif 000007
【図６】
2020045930.tif 000008